(57)【要約】【課題】原稿または記憶媒体の取り忘れを防止すると共に、操作のやり直しを低減する原稿処理装置及びデータ処理装置を提供することにある。【解決手段】実施形態によれば、原稿処理装置は、読取手段と、表示手段と、通知手段と、処理手段とを備えている。前記読取手段は、原稿台に置かれている原稿を読み取る。前記表示手段は、前記読取手段で読み取られた前記原稿の画像データを表示する。前記通知手段は、前記原稿台から前記原稿を除去する旨の警告を通知する。前記処理手段は、前記原稿台に前記原稿が無いことに応答して、前記画像データを処理する。【選択図】図６
2017085271.tif 000002
【特許請求の範囲】
【請求項１】
原稿台に置かれている原稿を読み取る読取手段と、
前記読取手段で読み取られた前記原稿の画像データを表示する表示手段と、
前記原稿台から前記原稿を除去する旨の警告を通知する通知手段と、
前記原稿台に前記原稿が無いことに応答して、前記画像データを処理する処理手段と、
を備える原稿処理装置。
【請求項２】
前記通知手段は、前記画像データの認証の入力に応答して前記警告を通知する、請求項１記載の原稿処理装置。
【請求項３】
前記画像データの処理に対する設定が入力されている場合、前記表示手段に前記画像データを表示した後に前記通知手段で前記警告を通知するように制御し、前記設定が入力されていない場合、前記表示手段に前記画像データを表示することなく前記通知手段で前記警告を通知するように制御する制御手段と、
を備える請求項１記載の原稿処理装置。
【請求項４】
前記原稿台に設けられている前記原稿の位置を規定するガイドに沿って前記原稿が置かれていない場合、前記表示手段に前記画像データを表示した後に前記通知手段で前記警告を通知するように制御し、前記ガイドに沿って前記原稿が置かれている場合、前記表示手段に前記画像データを表示することなく前記通知手段で前記警告を通知するように制御する制御手段を備える、請求項１記載の原稿処理装置。
【請求項５】
記憶媒体を接続する接続手段と、
前記記憶媒体から読み出されたデータを表示する表示手段と、
前記接続手段から前記記憶媒体を除去する旨の警告を通知する通知手段と、
前記接続手段に前記記憶媒体が接続されていないことに応答して、前記データを処理する処理手段と、
を備えるデータ処理装置。
【発明の詳細な説明】
【技術分野】
【０００１】
本発明の実施形態は、原稿処理装置及びデータ処理装置に関する。
【背景技術】
【０００２】
従来、スキャナ、プリンタ、ファクシミリ装置及びデータのストレージとしても利用できる多機能処理装置であるＭＦＰ（Multi-Functional Peripheral）は、コピー処理時の印刷動作を完了した時点で、原稿や印刷物の取り忘れを防止するための警告を通知していた。別の例では、ＭＦＰは、コピー処理時の印刷動作を開始する前に、原稿の取り忘れを防止するための警告を通知していた。
【先行技術文献】
【特許文献】
【０００３】
【特許文献１】特開２００８−２４５１４８号公報
【発明の概要】
【発明が解決しようとする課題】
【０００４】
しかしながら、上述のようなＭＦＰでは、ユーザは、用紙に印刷された画像を確認する前に原稿台から原稿を取り除く。そのため、用紙に印刷された画像がユーザの望む画像ではないことがある。このような事態は、ユーザがコピー処理に対する設定を入力した場合に起こる可能性が高い。または、このような事態は、原稿の向きまたは傾きが適切ではない場合、または、原稿台に置かれた複数枚の原稿を１枚の用紙にコピーする場合に起こる可能性が高い。このような場合、ユーザは、原稿台への原稿の載置及びコピー処理に対する設定の入力などの操作をやり直さなければならない。
【０００５】
本発明の実施形態が解決しようとする課題は、原稿または記憶媒体の取り忘れを防止すると共に、操作のやり直しを低減する原稿処理装置及びデータ処理装置を提供することにある。
【課題を解決するための手段】
【０００６】
実施形態によれば、原稿処理装置は、読取手段と、表示手段と、通知手段と、処理手段とを備えている。前記読取手段は、原稿台に置かれている原稿を読み取る。前記表示手段は、前記読取手段で読み取られた前記原稿の画像データを表示する。前記通知手段は、前記原稿台から前記原稿を除去する旨の警告を通知する。前記処理手段は、前記原稿台に前記原稿が無いことに応答して、前記画像データを処理する。
【図面の簡単な説明】
【０００７】
【図１】第１の実施形態に係るＭＦＰの概略の形状を示す斜視図。
【図２】第１の実施形態に係るＭＦＰの制御系の構成を示すブロック図。
【図３】第１の実施形態に係る操作パネルの平面図。
【図４】第１の実施形態に係る原稿台の平面図。
【図５】第１の実施形態に係るＭＦＰのコピー処理を説明するフローチャート。
【図６】第１の実施形態に係る画面図。
【図７】第２の実施形態に係る原稿台上の原稿を示す平面図。
【図８】第２の実施形態に係る原稿台上の原稿を示す平面図。
【発明を実施するための形態】
【０００８】
以下、いくつかの実施の形態について、図面を参照して説明する。なお、各図は、実施形態とその理解を促すための模式図であり、その形状や寸法、比などは実際の装置と異なる個所があるが、適宜設計変更することができる。
【０００９】
（第１の実施形態）  
図１は、ＭＦＰ（Multi-Functional Peripheral）１の概略の形状を示す斜視図である。ＭＦＰ１は、原稿処理装置またはデータ処理装置の一例である。  
ＭＦＰ１は、プリント部１１、用紙トレイ１２、スキャン部１３、フィード部１４、操作パネル１５、原稿台１６及び排紙トレイ１７を備えている。
【００１０】
プリント部１１は、データを用紙に印刷する。プリント部１１は印刷処理手段であり、例えば、電子写真方式やインクジェット方式などの印刷機構を含む。なお、プリント部１１は、用紙以外の媒体に印刷してもよい。  
用紙トレイ１２は、用紙を保管し、用紙をプリント部１１へ供給する。  
スキャン部１３は、原稿台１６に置かれている原稿を読み取り、原稿の画像データを取り込む。スキャン部１３は読取手段であり、例えば、原稿を照射する光源、原稿から反射した光を屈折したり導くミラー、反射光を受け取るＣＣＤ（Charge Coupled Device）イメージセンサ、光源やミラーやＣＣＤイメージセンサを搭載して移動させるキャリッジ等からなる。なお、原稿は、通帳及び免許証等の媒体を含む。  
フィード部１４は、ローラなどを有し、複数の原稿を１枚ずつスキャン部１３による読取位置へ供給する。
【００１１】
操作パネル１５は、表示部１５１、入力部１５２及び接続部１５３を備えている。  
表示部１５１は、各種情報を表示するディスプレイである。表示部１５１は表示手段である。表示部１５１は通知手段でもある。
入力部１５２は、ユーザがＭＦＰ１による処理に対する設定を入力するための複数の押下式のスイッチである。入力部１５２は入力手段である。なお、入力部１５２は、複数の押下式のスイッチに代えて、表示部１５１と一体のタッチパネルであってもよい。入力部１５２は、複数の押下式のスイッチと共にタッチパネルを備えていてもよい。入力部１５２が備えるいくつかのスイッチの例については後述する。
【００１２】
接続部１５３は、記憶媒体を接続するスロットである。接続部１５３は接続手段である。記憶媒体は、これに保存されているデータをＭＦＰ１が読取可能な媒体である。記憶媒体は、例えばＵＳＢ（Universal Serial Bus）メモリ及びＳＤメモリカード（登録商標）などであるが、これら以外であってもよい。
【００１３】
原稿台１６は、原稿を載置する台である。原稿台１６の構成については後述する。  
排紙トレイ１７は、ＭＦＰ１の筐体外にある。排紙トレイ１７は、印刷済みの用紙（以下、印刷物という）を受け取り収納する。
【００１４】
図２は、ＭＦＰ１の制御系の構成を示すブロック図である。  
ＭＦＰ１は、制御部２０、ＲＯＭ（Read Only Memory）２１、ＲＡＭ（Random Access Memory）２２、記憶部２３、センサ部２４、ファクシミリ通信部２５、ネットワーク通信部２６及び音声出力部２７を備えている。ＭＦＰ１を構成する各部は、システムバスを介して互いに接続されている。
【００１５】
制御部２０は、ＭＦＰ１の各部を制御する。制御部２０は、ＣＰＵ（Central Processing Unit）を備えている。制御部２０は制御手段である。  
ＲＯＭ２１は、ＭＦＰ１が動作するために必要な種々の制御プログラムを記憶する。  
ＲＡＭ２２は、制御プログラムの実行時に発生するデータを一時的に記憶するバッファメモリである。  
記憶部２３は、不揮発性の記憶媒体である。記憶部２３は、例えばＨＤＤ（Hard Disk Drive）である。
【００１６】
センサ部２４は、ＭＦＰ１の各部に配置された複数のセンサを備えている。センサ部２４は、原稿台１６上の原稿の有無を検出する複数のセンサを備える。センサ部２４は、排紙トレイ１７上の印刷物の有無を検出するセンサを備える。
【００１７】
ファクシミリ通信部２５は、ファクシミリでデータを送信または受信するためのインターフェースである。ファクシミリ通信部２５は、ファクシミリ処理手段である。  
ネットワーク通信部２６は、ＭＦＰ１とは異なる外部装置との間でネットワークを介してデータを送信または受信するためのインターフェースである。  
音声出力部２７は、音声を出力するスピーカである。音声出力部２７は通知手段である。
【００１８】
図３は、操作パネル１５の一例となる平面図である。操作パネル１５は、上述のように、表示部１５１、入力部１５２及び接続部１５３を備えている。  
入力部１５２は、コピースイッチ、スキャナスイッチ及びファクシミリスイッチなどのファンクションスイッチ１５２ａを備えている。コピースイッチは、ＭＦＰ１のコピー処理の起動を選択するためのスイッチである。スキャナスイッチは、ＭＦＰ１のスキャナ処理の起動を選択するためのスイッチである。なお、スキャナ処理は、例えばスキャン部１３で取り込んだ原稿の画像データを記憶部２３に保存する処理である。ファクシミリスイッチは、ＭＦＰ１のファクシミリ処理の起動を選択するためのスイッチである。
【００１９】
入力部１５２は、スタートスイッチ１５２ｂ及びリセットスイッチ１５２ｃも備えている。スタートスイッチ１５２ｂは、ファンクションスイッチ１５２ａで選択された機能に基づく処理の開始を選択するためのスイッチである。スタートスイッチ１５２ｂは、現在の状態を認証するためのＯＫスイッチでもある。リセットスイッチ１５２ｃは、現在の状態を否認するためのＮＧスイッチである。  
入力部１５２は、画質、倍率など、データの処理に対する設定を入力するためのスイッチも備えている。
【００２０】
図４は、原稿台１６の一例となる平面図である。  
原稿台１６は、ガラス板１６１及びガイド１６２を備えている。  
ガラス板１６１は、原稿を置くための透明な矩形状の平板である。
ガイド１６２は、原稿の位置を規定するためにガラス板１６１の端部に設けられている。ガイド１６２は、直交する２辺それぞれに原稿のサイズの目印を備えている。ガイド１６２は、一例として、Ａ３とＡ４の目印を備えている。ユーザは、ガイド１６２に沿って原稿を原稿台１６に置くことができる。
【００２１】
ガラス板１６１の原稿が置かれる面とは反対の面側には、センサ部２４を構成するセンサ２４１、センサ２４２、センサ２４３及びセンサ２４４が互いに異なる位置に設けられている。例えば、センサ２４１〜２４４は、それぞれ、Ａ３の原稿がガイド１６２に沿って置かれている場合に原稿の角部近傍と対向する位置にある。なお、センサ２４１及びセンサ２４３は、Ａ４の原稿がガイド１６２に沿って置かれている場合にも原稿の角部近傍と対向する。センサ２４１〜２４４は、原稿の有無を検出する光学式センサである。センサ２４１は、原稿有りを検出した場合と原稿無しを検出した場合とで異なる信号を出力する。センサ２４２〜２４４それぞれも同様である。
【００２２】
原稿がガイド１６２に沿って置かれているか否かの判断の例について説明する。
はじめに、Ａ３の原稿がガイド１６２に沿って置かれているか否かの判断について説明する。センサ２４１〜２４４の全てが原稿有りを検出した場合、制御部２０は、ガイド１６２に沿ってＡ３の原稿が置かれていると判断する。センサ２４１〜２４４のうちの何れか１つのセンサが原稿無しを検出し、他の３つのセンサが原稿有りを検出した場合、制御部２０は、ガイド１６２に沿ってＡ３の原稿が置かれていないと判断する。
次に、Ａ４の原稿がガイド１６２に沿って置かれているか否かの判断について説明する。センサ２４１及びセンサ２４３が原稿有りを検出し、センサ２４２及びセンサ２４４が原稿無しを検出した場合、制御部２０は、ガイド１６２に沿ってＡ４の原稿が置かれていると判断する。センサ２４１及びセンサ２４３のうちの一方のセンサが原稿有りを検出し、他方のセンサが原稿無しを検出した場合、制御部２０は、ガイド１６２に沿ってＡ４の原稿が置かれていないと判断する。
【００２３】
なお、センサ部２４が原稿の有無を検出するセンサを５つ以上備えることで、制御部２０は、Ａ３またはＡ４以外のサイズの原稿がガイド１６２に沿って置かれているか否かを上記同様に判断することができる。
【００２４】
次に、上述のように構成されているＭＦＰ１に設定される動作モードについて説明する。ＭＦＰ１は、第１の動作モードと第２の動作モードの何れかの動作モードに設定されている。  
第１の動作モードは、主として多数の特定者がＭＦＰ１を使用する環境で設定されるモードである。多数の特定者がＭＦＰ１を使用する環境は、例えばオフィスである。
【００２５】
第２の動作モードは、主として多数の不特定者がＭＦＰ１を使用する環境で設定されるモードである。多数の不特定者がＭＦＰ１を使用する環境は、例えばコンビニエンスストアやセルフコピー専門店などの原稿の取り忘れが多い環境である。  
なお、第１の動作モードは、多数の不特定者が使用する環境に設置されているＭＦＰ１に設定されていてもよい。第２の動作モードは、多数の特定者が使用する環境に設置されているＭＦＰ１に設定されていてもよい。
【００２６】
次に、ＭＦＰ１におけるコピー処理について説明する。  
図５は、ＭＦＰ１におけるコピー処理の一例を説明するフローチャートである。  
制御部２０は、原稿台１６に置かれている原稿を検出するように制御する（Ａｃｔ１０１）。Ａｃｔ１０１では、制御部２０は、センサ部２４の出力に基づいて原稿台１６に置かれている原稿のサイズ及び位置を判断する。
【００２７】
制御部２０は、原稿のコピーに対する設定を検出する（Ａｃｔ１０２）。コピーに対する設定は、画質（濃度及び白黒コピーなど）の設定、コピー倍率の設定、出力される用紙サイズの設定及び免許証等の特殊サイズのコピーの設定などである。なお、これらは例示であり、コピーに対する設定は、他の設定を含んでいてもよい。コピーに対する設定は、入力部１５２における入力によってデフォルト設定から変更可能である。
【００２８】
制御部２０は、スタートスイッチ１５２ｂのＯＮを検出する（Ａｃｔ１０３）。スタートスイッチ１５２ｂのＯＮは、スキャン部１３に原稿の読み取りを開始させるための入力に対応する。  
制御部２０は、スキャン部１３で原稿を読み取るように制御する（Ａｃｔ１０４）。Ａｃｔ１０４では、スキャン部１３は、原稿台１６に置かれている原稿を読み取り、画像データを取り込む。  
【００２９】
制御部２０は、ＭＦＰ１に第１の動作モードが設定されているか否かを判断する（Ａｃｔ１０５）。
ＭＦＰ１に第１の動作モードが設定されている場合（Ａｃｔ１０４、Ｙｅｓ）、制御部２０は、プリント部１１で画像データを用紙に印刷するように制御する（Ａｃｔ１０６）。Ａｃｔ１０６では、プリント部１１は、Ａｃｔ１０２で制御部２０が検出した設定に応じて画像データを用紙に印刷する。
【００３０】
制御部２０は、印刷物を排紙トレイ１７に排出するように制御する（Ａｃｔ１０７）。  
制御部２０は、印刷ジョブを終了する（Ａｃｔ１０８）。  
制御部２０は、センサ部２４の出力に基づいて原稿台１６に原稿が有るか否かを判断する（Ａｃｔ１０９）。
【００３１】
原稿台１６に原稿がある場合（Ａｃｔ１０９、Ｙｅｓ）、制御部２０は、警告を通知するように制御する（Ａｃｔ１１０）。警告は、原稿台１６から原稿を除去する旨のメッセージである。警告は、ユーザによる原稿の取り忘れの防止に寄与する。Ａｃｔ１１０では、表示部１５１は、映像により警告を通知する。音声出力部２７は、音声により警告を通知する。音声出力部２７は、警告としてブザー音を出力してもよい。制御部２０は、原稿台１６に原稿が無くなるまで、警告の通知を続けるように制御する。
【００３２】
原稿台１６に原稿がない場合（Ａｃｔ１０９、Ｎｏ）、制御部２０は、センサ部２４の出力に基づいて排紙トレイ１７に印刷物があるか否かを検出する（Ａｃｔ１１１）。
【００３３】
排紙トレイ１７に印刷物がある場合（Ａｃｔ１１１、Ｙｅｓ）、制御部２０は、警告を通知するように制御する（Ａｃｔ１１２）。警告は、排紙トレイ１７から印刷物を除去する旨のメッセージである。警告は、ユーザによる印刷物の取り忘れの防止に寄与する。表示部１５１及び音声出力部２７の少なくとも１つは、Ａｃｔ１１０と同様に警告を通知する。制御部２０は、排紙トレイ１７に印刷物が無くなるまで、警告の通知を続けるように制御する。  
排紙トレイ１７に印刷物がない場合（Ａｃｔ１１１、Ｎｏ）、制御部２０は、コピー処理を終了する。
【００３４】
Ａｃｔ１０５に戻って、ＭＦＰ１に第１の動作モードが設定されていない場合（Ａｃｔ１０５、Ｎｏ）、制御部２０は、ＭＦＰ１に第２の動作モードが設定されていると判断する（Ａｃｔ１１３）。
【００３５】
制御部２０は、画像データを表示部１５１で表示するように制御する（Ａｃｔ１１４）。Ａｃｔ１１４では、表示部１５１は、スキャン部１３で読み取られた原稿の画像データを表示する。このとき、表示部１５１は、Ａｃｔ１０２で制御部２０が検出した原稿のコピーに対する設定に応じて前記画像データを表示する。
【００３６】
制御部２０は、スタートスイッチ１５２ｂまたはリセットスイッチ１５２ｃのいずれかのスイッチのＯＮを検出する（Ａｃｔ１１５）。スタートスイッチ１５２ｂのＯＮは、ユーザが画像データに問題がないと判断した場合における画像データの認証の入力に対応する。リセットスイッチ１５２ｃのＯＮは、ユーザが画像データに問題があると判断した場合における画像データの否認の入力に対応する。
【００３７】
制御部２０は、スタートスイッチ１５２ｂのＯＮを検出したか否かを判断する（Ａｃｔ１１６）。スタートスイッチ１５２ｂのＯＮが検出された場合（Ａｃｔ１１６、Ｙｅｓ）、制御部２０は、上述のＡｃｔ１１０と同様に警告を通知するように制御する（Ａｃｔ１１７）。Ａｃｔ１１７では、表示部１５１及び音声出力部２７の少なくとも１つは、画像データの認証の入力に応答して警告を通知する。
制御部２０は、センサ部２４の出力に基づいて原稿台１６に原稿が有るか否かを判断する（Ａｃｔ１１８）。
【００３８】
原稿台１６に原稿が有る場合（Ａｃｔ１１８、Ｙｅｓ）、制御部２０は、再びＡｃｔ１１７を処理する。つまり、制御部２０は、原稿台１６に原稿が無くなるまで、警告の通知を続けるように制御する。  
原稿台１６に原稿が無い場合（Ａｃｔ１１８、Ｎｏ）、制御部２０は、上述のＡｃｔ１０６と同様にプリント部１１で画像データを用紙に印刷するように制御する（Ａｃｔ１１９）。
【００３９】
制御部２０は、印刷物を排紙トレイ１７に排出するように制御する（Ａｃｔ１２０）。  
制御部２０は、印刷ジョブを終了する（Ａｃｔ１２１）。その後、制御部２０は、上述のＡｃｔ１１１及びＡｃｔ１１２を処理し、コピー処理を終了する。
【００４０】
Ａｃｔ１１６に戻って、スタートスイッチ１５２ｂのＯＮが検出されていない場合（Ａｃｔ１１６、Ｎｏ）、制御部２０は、再びＡｃｔ１０１を処理する。スタートスイッチ１５２ｂのＯＮが検出されていない場合は、リセットスイッチ１５２ｃのＯＮが検出された場合である。つまり、制御部２０は、リセットスイッチ１５２ｃが押下される毎に、スキャン部１３による原稿の読み取りを繰り返す。
【００４１】
上述の図５に示すフローチャートの説明を参照すると、第１の動作モードでの動作は、以下のとおりである。制御部２０は、スキャン部１３で読み取られた原稿の画像データを表示部１５１で表示することなくプリント部１１で画像データを用紙に印刷するように制御する。さらに、表示部１５１及び音声出力部２７の少なくとも１つは、プリント部１１で画像データを用紙に印刷した後に、原稿台１６から原稿を除去する旨の警告を通知する。
【００４２】
上述の図５に示すフローチャートの説明を参照すると、第２の動作モードでの動作は、以下のとおりである。表示部１５１は、プリント部１１で画像データを用紙に印刷する前に、スキャン部１３で読み取られた原稿の画像データを表示する。制御部２０は、プリント部１１で画像データを用紙に印刷する前に、画像データの認証または否認の入力を要求する。表示部１５１及び音声出力部２７の少なくとも１つは、画像データの認証の入力に応答して、原稿台１６から原稿を除去する旨の警告を通知する。プリント部１１は、原稿台１６に原稿が無いことに応答して、画像データを用紙に印刷する。
【００４３】
第１の動作モードでは、ユーザは、画像データの確認及び原稿の除去をすることなく印刷物を得ることができる。そのため、ユーザは、複数枚の原稿を効率よくコピーすることができる。
【００４４】
他方、第２の動作モードでは、ユーザは、印刷物を得る前に画像データの認証を入力する必要がある。そのため、ユーザは、画像データが所望の状態になるまで、原稿台１６の原稿の位置（傾きや向きなどを含む）を調整することができる。ユーザは、画像データが所望の状態になるまで、コピー処理に対する設定を再び入力することができる。さらに、ユーザは、印刷物を得る前に原稿を除去する必要がある。そのため、ユーザは、原稿を取り忘れることはない。
【００４５】
図６は、第２の動作モードにおけるいくつかの画面図の例である。  
図６の（ａ）は、上述のＡｃｔ１０１の処理の前に表示部１５１で表示される画面を示している。表示部１５１は、コピー可能である旨のメッセージ及び原稿のセットを促すメッセージを表示する。  
【００４６】
図６の（ｂ）は、上述のＡｃｔ１１４において表示部１５１で表示される画面を示している。表示部１５１は、画像データを表示する。さらに、表示部１５１は、画像データの認証（ＯＫ）又は否認（ＮＧ）の判断としてスタートスイッチ１５２ｂ又はリセットスイッチ１５２ｃの押下を促すメッセージを表示する。
【００４７】
図６の（ｃ）は、上述のＡｃｔ１１７において表示部１５１で表示される画面を示している。表示部１５１は、原稿を除去する旨の警告を表示する。  
図６の（ｄ）は、Ａｃｔ１１９において表示部１５１で表示される画面を示している。表示部１５１は、原稿台１６から原稿が取り除かれた後に、印刷中である旨を表示する。
【００４８】
第１の実施形態によれば、ＭＦＰ１は、設置環境に応じて第１の動作モードまたは第２の動作モードの何れかに設定することができる。さらに、ＭＦＰ１は、コンビニエンスストア等で頻発する原稿の取り忘れを防止することができると共に、コピー処理に関連する操作のやり直しを低減することができる。
【００４９】
次に、第１の実施形態のいくつかの変形例について説明する。  
１つの変形例では、ＭＦＰ１は、スキャナ処理及びファクシミリ処理などのＭＦＰ１が有する種々の機能においても上述のコピー処理と同様に処理してもよい。
【００５０】
スキャナ処理の場合、図５に示すフローチャートは、以下の点でコピー処理と異なる。Ａｃｔ１０６〜Ａｃｔ１０８の代わりに、制御部２０は、以下のように画像データをスキャナ処理する。制御部２０はスキャナ処理の処理手段である。制御部２０は、Ａｃｔ１０４でスキャン部１３が読み取った原稿の画像データを所定のフォーマットに変換する。所定のフォーマットは、例えばＰＤＦである。その後、制御部２０は、画像データを記憶部２３に保存するように制御する。制御部２０は、ネットワーク通信部２６を介して、原稿の画像データを外部装置に保存するように制御してもよい。Ａｃｔ１１９〜Ａｃｔ１２１の代わりに、制御部２０は、原稿台１６に原稿が無いことに応答して、画像データをスキャナ処理する。制御部２０は、Ａｃｔ１１１及びＡｃｔ１１２の処理を省略する。
【００５１】
ファクシミリ処理の場合、図５に示すフローチャートは、以下の点でコピー処理と異なる。Ａｃｔ１０６〜Ａｃｔ１０８の代わりに、制御部２０は、以下のようにファクシミリ通信部２５による画像データのファクシミリ処理を制御する。制御部２０は、ファクシミリ通信部２５を介して、Ａｃｔ１０４でスキャン部１３が読み取った原稿の画像データを送信するように制御する。Ａｃｔ１１９〜Ａｃｔ１２１の代わりに、制御部２０は、原稿台１６に原稿が無いことに応答して、ファクシミリ通信部２５による画像データのファクシミリ処理を制御する。制御部２０は、Ａｃｔ１１１及びＡｃｔ１１２の処理を省略する。
【００５２】
この例によれば、ＭＦＰ１は、原稿の取り忘れを防止することができると共に、スキャナ処理及びファクシミリ処理などに関連する操作のやり直しを低減することができる。
【００５３】
別の変形例では、ＭＦＰ１は、記憶媒体に保存されているデータの印刷ジョブを上述のコピー処理と同様に処理してもよい。この場合、図５に示すフローチャートは、以下の点でコピー処理と異なる。Ａｃｔ１０１とＡｃｔ１０９において、制御部２０は、接続部１５３に記憶媒体が接続されているか否かを判断する。Ａｃｔ１０４において、制御部２０は、記憶媒体からデータを読み出す。Ａｃｔ１１４において、制御部２０は、記憶媒体から読み出されたデータを表示部１５１で表示するように制御する。Ａｃｔ１１８において、制御部２０は、接続部１５３に記憶媒体が接続されているか否かを判断する。
【００５４】
接続部１５３に記憶媒体が接続されている場合、Ａｃｔ１１０及びＡｃｔ１１７において、制御部２０は、接続部１５３から記憶媒体を除去する旨の警告を通知するように制御する。これにより、表示部１５１及び音声出力部２７の少なくとも１つは、警告を通知する。制御部２０は、記憶媒体が接続部１５３から取り除かれるまで、警告の通知を続けるように制御する。
【００５５】
Ａｃｔ１１９では、制御部２０は、接続部１５３に記憶媒体が接続されていないことに応答して、プリンタ部１１でデータを用紙に印刷するように制御する。
なお、ＭＦＰ１は、記憶媒体に保存されているデータのスキャナ処理及びファックス処理を上述のように行うこともできる。
【００５６】
この例によれば、ＭＦＰ１は、記憶媒体の取り忘れを防止することができると共に、ＭＦＰ１による処理に関連する操作のやり直しを低減することができる。
【００５７】
別の変形例では、ＭＦＰ１は、Ａｃｔ１１７において警告を通知する前にＡｃｔ１１９の印刷処理を行ってもよい。例えば、制御部２０は、ＭＦＰ１内部で印刷物の搬送を一時的に停止し、印刷物が排紙トレイ１７に排出されないように制御する。別の例では、ＭＦＰ１は、内部に設けられている印刷物を一時的に退避させるためのストッカに印刷物を一時的に保管するようにしてもよい。制御部２０は、Ａｃｔ１１８においてセンサ部２４が原稿を検出しなくなった後に印刷物を排紙トレイ１７に排出するように制御する。なお、ＭＦＰ１は、記憶媒体に保存されているデータの印刷ジョブも同様に処理することができる。
【００５８】
これにより、ユーザは、原稿または記憶媒体を除去する前に印刷物を手にすることはない。この例によれば、ＭＦＰ１は、原稿または記憶媒体の取り忘れを防止することができると共に、ＭＦＰ１による印刷処理に関連する操作のやり直しを低減することができる。
【００５９】
（第２の実施形態）
制御部２０は、データの処理に対する設定または原稿台１６に置かれている原稿の状態に応じて図５のＡｃｔ１１４〜Ａｃｔ１１６を省略することができる。いくつかの例を説明する。
【００６０】
一つの例では、制御部２０は、画像データの処理に対する設定が入力されている場合、Ａｃｔ１１４〜Ａｃｔ１１６を処理する。つまり、制御部２０は、Ａｃｔ１１４において表示部１５１に画像データを表示した後にＡｃｔ１１７において警告を通知するように制御する。他方、制御部２０は、画像データの処理に対する設定が入力されていない場合、Ａｃｔ１１４〜Ａｃｔ１１６の処理を省略する。つまり、デフォルト設定に対して入力により設定を変えていない場合、制御部２０は、表示部１５１に画像データを表示することなくＡｃｔ１１７において警告を通知するように制御する。
【００６１】
画像データの処理に対する設定が入力されている場合、原稿と印刷物の画像との間の差は大きい。例えば、原稿の濃度と印刷物の画像の濃度は異なる。原稿の用紙サイズと印刷物の用紙サイズは異なる。印刷物の画像は原稿の拡大コピーまたは縮小コピーである。そのため、印刷物の画像がユーザの望む画像ではないことがある。ユーザが画像データを確認できないとすると、ユーザがコピーを失敗する可能性は高い。したがって、制御部２０は、Ａｃｔ１１４〜Ａｃｔ１１６を処理する。
【００６２】
他方、画像データの処理に対する設定が入力されていない場合、原稿と印刷物の画像との間の差は小さい。例えば、原稿の濃度と印刷物の画像の濃度は同じである。原稿の用紙サイズと印刷物の用紙サイズは同じである。印刷物の画像は原稿の等倍コピーである。ユーザが画像データを確認できなくても、ユーザがコピーを失敗する可能性は低い。したがって、制御部２０は、Ａｃｔ１１４〜Ａｃｔ１１６の処理を省略することができる。
なお、制御部２０は、記憶媒体に保存されているデータに対する処理についても同様に処理することができる。
【００６３】
別の例では、制御部２０は、ガイド１６２に沿って原稿が置かれていない場合、Ａｃｔ１１４〜Ａｃｔ１１６を処理する。つまり、制御部２０は、Ａｃｔ１１４において表示部１５１に画像データを表示した後にＡｃｔ１１７において警告を通知するように制御する。他方、制御部２０は、ガイド１６２に沿って原稿が置かれている場合、Ａｃｔ１１４〜Ａｃｔ１１６の処理を省略する。つまり、制御部２０は、表示部１５１に画像データを表示することなくＡｃｔ１１７において警告を通知するように制御する。
【００６４】
ガイド１６２に沿って原稿が置かれていない場合、原稿と印刷物との間の差は大きい。例えば、原稿の一部が印刷物の画像に写っていない可能性がある。そのため、印刷物の画像がユーザの望む画像ではないことがある。ユーザが画像データを確認できないとすると、ユーザがコピーを失敗する可能性は高い。したがって、制御部２０は、Ａｃｔ１１４〜Ａｃｔ１１６を処理する。
【００６５】
他方、ガイド１６２に沿って原稿が置かれている場合、原稿と印刷物との間の差は小さい。ユーザが画像データを確認できなくても、ユーザがコピーを失敗する可能性は低い。したがって、制御部２０は、Ａｃｔ１１４〜Ａｃｔ１１６の処理を省略することができる。
【００６６】
さらに別の例では、ガイド１６２に沿って複数枚の原稿が置かれている場合、Ａｃｔ１１４〜Ａｃｔ１１６を処理する。つまり、制御部２０は、Ａｃｔ１１４において表示部１５１に画像データを表示した後にＡｃｔ１１７において警告を通知するように制御する。他方、制御部２０は、ガイド１６２に沿って１枚の原稿が置かれている場合、Ａｃｔ１１４〜Ａｃｔ１１６の処理を省略する。つまり、制御部２０は、表示部１５１に画像データを表示することなくＡｃｔ１１７において警告を通知するように制御する。
【００６７】
ガイド１６２に沿って複数枚の原稿が置かれている場合、原稿と印刷物との間の差は大きい。例えば、原稿同士が重なり合い、原稿の一部が印刷物の画像に写っていない可能性がある。複数の原稿の並びや方向等の配置が誤っている可能性がある。そのため、印刷物の画像がユーザの望む画像ではないことがある。ユーザが画像データを確認できないとすると、ユーザがコピーを失敗する可能性は高い。したがって、制御部２０は、Ａｃｔ１１４〜Ａｃｔ１１６を処理する。
【００６８】
他方、ガイド１６２に沿って１枚の原稿が置かれている場合、原稿と印刷物との間の差は小さい。ユーザが画像データを確認できなくても、ユーザがコピーを失敗する可能性は低い。したがって、制御部２０は、Ａｃｔ１１４〜Ａｃｔ１１６の処理を省略することができる。
【００６９】
制御部２０は、ガイド１６２に沿って１枚の原稿が置かれているのか複数枚の原稿が置かれているのかを例えば以下のように判断する。
【００７０】
一つの例では、制御部２０は、センサ２４１及びセンサ２４２それぞれの出力に基づいて原稿台１６に置かれている原稿の枚数を判断する。図７及び図８は、この例を説明するための原稿台１６の原稿を示す平面図である。図７は、原稿台１６にＡ３の原稿３０が１枚置かれている状態を示している。図８は、原稿台１６にＡ４の原稿３１及びＡ４の原稿３２が置かれている状態を示している。原稿３１及び原稿３２を合わせたサイズは、Ａ３の原稿３０のサイズと略等しい。
【００７１】
制御部２０は、センサ２４１が原稿有りを検出したタイミングとセンサ２４２が原稿有りを検出したタイミングとの時間差を検出する。制御部２０は、この時間差が予め定められた基準時間よりも短ければ、原稿台１６に原稿３０が置かれていると判断する。他方、制御部２０は、時間差が基準時間以上であれば、原稿台１６に原稿３１と原稿３２が置かれていると判断する。制御部２０がこのように判断できるのは、ユーザが原稿台１６に原稿を１枚置く時間は、ユーザが原稿台１６に原稿を２枚並べて置く時間よりも短いからである。なお、上記同様に、制御部２０は、センサ２４１及びセンサ２４４それぞれの検出タイミングに基づいて原稿台１６に置かれている原稿の枚数を判断してもよい。制御部２０は、センサ２４２及びセンサ２４３それぞれの検出タイミングに基づいて原稿台１６に置かれている原稿の枚数を判断してもよい。制御部２０は、センサ２４３及びセンサ２４４それぞれの検出タイミングに基づいて原稿台１６に置かれている原稿の枚数を判断してもよい。
【００７２】
別の例では、制御部２０は、スキャン部１３で読み取られた画像データに基づいて原稿台１６に置かれている原稿の枚数を判断する。原稿台１６に原稿が複数枚置かれている場合、原稿同士の隙間または原稿同士の重なり部分には、黒い影（スジ）ができる。制御部２０は、原稿データに黒い影がないと判断した場合、原稿台１６に１枚の原稿が置かれていると判断する。他方、制御部２０は、原稿データに黒い影があると判断した場合、原稿台１６に複数枚の原稿が置かれていると判断する。
【００７３】
第２の実施形態によれば、ＭＦＰ１は、ユーザが操作をやり直す可能性の低い場合には、表示部１５１に画像データを表示する処理を省略することができる。そのため、ユーザは、表示部１５１で表示された画像データの認証または否認を入力する手間を省くことができる。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１…ＭＦＰ、１１…プリント部、１２…用紙トレイ、１３…スキャン部、１４…フィード部、１５…操作パネル、１６…原稿台、１７…排紙トレイ、２０…制御部、２１…ＲＯＭ、２２…ＲＡＭ、２３…記憶部、２４…センサ部、２５…ファクシミリ通信部、２６…ネットワーク通信部、２７…音声出力部、３０…原稿、３１…原稿、３２…原稿、１５１…表示部、１５２…入力部、１５２ａ…ファンクションスイッチ、１５２ｂ…スタートスイッチ、１５２ｃ…リセットスイッチ、１５３…接続部、１６１…ガラス板、１６２…ガイド、２４１〜２４４…センサ。
【図１】
2017085271.tif 000003
【図２】
2017085271.tif 000004
【図３】
2017085271.tif 000005
【図４】
2017085271.tif 000006
【図５】
2017085271.tif 000007
【図６】
2017085271.tif 000008
【図７】
2017085271.tif 000009
【図８】
2017085271.tif 000010